(57)【要約】  放送システムは、第１音声に関連する情報であって通信網を介して配信装置から端末装置に提供される第１関連情報に対応する第１識別情報を表す音響成分と、前記第１音声とを含む第１音響信号と、第２音声に関連する情報であって端末装置に事前に登録された第２関連情報に対応する第２識別情報を表す音響成分と、前記第２音声とを含む第２音響信号と、を取得する取得部と、前記第１音響信号を送信する第１放送動作と、前記第２音響信号を送信する第２放送動作とを含む複数の放送動作のうち何れかを選択的に実行する放送部とを具備する。
2020009038.tif 000002
【特許請求の範囲】
【請求項１】
第１音声に関連する情報であって通信網を介して配信装置から端末装置に提供される第１関連情報に対応する第１識別情報を表す音響成分と、前記第１音声とを含む第１音響信号と、
第２音声に関連する情報であって前記端末装置に事前に登録された第２関連情報に対応する第２識別情報を表す音響成分と、前記第２音声とを含む第２音響信号と、
を取得する取得部と、
前記第１音響信号を送信する第１放送動作と、前記第２音響信号を送信する第２放送動作とを含む複数の放送動作のうち何れかを選択的に実行する放送部と
を具備する放送システム。
【請求項２】
前記第１関連情報は、前記第１音声の発話内容を表す文字列である
請求項１の放送システム。
【請求項３】
前記第２音声は、内容が定型化された情報を報知する音声である
請求項１または請求項２の放送システム。
【請求項４】
再生装置により再生された再生音の収音により収音装置が生成する音響信号から識別情報を抽出する情報抽出部と、
前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部とを具備し、
前記動作制御部は、契機データが取得されたか否かを判定し、当該契機データが取得された場合に、前記第１取得動作および前記第２取得動作の一方から他方へ切替える
端末装置。
【請求項５】
前記情報抽出部は、前記音響信号から前記契機データを抽出し、
前記動作制御部は、前記情報抽出部が前記契機データを抽出したか否かを判定する
請求項４の端末装置。
【請求項６】
特定の事象の発生を表す契機データを取得する契機データ取得部を具備し、
前記動作制御部は、前記契機データ取得部が前記契機データを取得したか否かを判定する
請求項４の端末装置。
【請求項７】
再生装置により再生された再生音の収音により収音装置が生成する音響信号から識別情報を抽出する情報抽出部と、
前記情報抽出部が抽出した前記識別情報が第１識別情報および第２識別情報の何れであるかを判定し、
前記第１識別情報である場合には、前記第１識別情報を通信網を介して配信装置に送信することで当該第１識別情報に対応する第１関連情報を取得する第１取得動作を実行し、
前記第２識別情報である場合には、前記第２識別情報に対応する第２関連情報を当該端末装置の記憶装置から取得する第２取得動作を実行する動作制御部と
を具備する端末装置。
【請求項８】
前記動作制御部は、前記情報抽出部が抽出した識別情報の少なくとも一部が表す数値に応じて、前記情報抽出部が抽出した前記識別情報が前記第１識別情報および前記第２識別情報の何れであるかを判定する
請求項７の端末装置。
【請求項９】
前記第１取得動作は、前記再生音である第１音声の発話内容を表す文字列を表す第１関連情報を取得する動作であり、
前記第２取得動作は、前記再生音である第２音声について事前に登録された第２関連情報を取得する動作である
請求項４から請求項８の何れかの端末装置。
【請求項１０】
第１音声に関連する情報であって通信網を介して配信装置から端末装置に提供される第１関連情報に対応する第１識別情報を表す音響成分と、前記第１音声とを含む第１音響信号と、
第２音声に関連する情報であって前記端末装置に事前に登録された第２関連情報に対応する第２識別情報を表す音響成分と、当該第２音声とを含む第２音響信号と、を取得し、
前記第１音響信号を送信する第１放送動作と、前記第２音響信号を送信する第２放送動作とを含む複数の放送動作のうち何れかを選択的に実行する
放送システムにより実現される放送方法。
【請求項１１】
再生装置により再生された再生音の収音により収音装置が生成する音響信号から識別情報を抽出し、
前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行し、
前記動作制御部は、契機データが取得されたか否かを判定し、当該契機データが取得された場合に、前記第１取得動作および前記第２取得動作の一方から他方へ切替える
コンピュータにより実現される端末装置の動作方法。
【請求項１２】
再生装置により再生された再生音の収音により収音装置が生成する音響信号から識別情報を抽出し、
前記情報抽出部が抽出した前記識別情報が第１識別情報および第２識別情報の何れであるかを判定し、
前記第１識別情報である場合には、前記第１識別情報を通信網を介して配信装置に送信することで当該第１識別情報に対応する第１関連情報を取得する第１取得動作を実行し、
前記第２識別情報である場合には、前記第２識別情報に対応する第２関連情報を当該端末装置の記憶装置から取得する第２取得動作を実行する
コンピュータにより実現される端末装置の動作方法。
【請求項１３】
端末装置のプロセッサを、
再生装置により再生された再生音の収音により収音装置が生成する音響信号から識別情報を抽出する情報抽出部、および、
前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部として機能させ、
前記動作制御部は、契機データが取得されたか否かを判定し、当該契機データが取得された場合に、前記第１取得動作および前記第２取得動作の一方から他方へ切替える
プログラム。
【請求項１４】
端末装置のプロセッサを、
再生装置により再生された再生音の収音により収音装置が生成する音響信号から識別情報を抽出する情報抽出部、および、
前記情報抽出部が抽出した前記識別情報が第１識別情報および第２識別情報の何れであるかを判定し、
前記第１識別情報である場合には、前記第１識別情報を通信網を介して配信装置に送信することで当該第１識別情報に対応する第１関連情報を取得する第１取得動作を実行し、
前記第２識別情報である場合には、前記第２識別情報に対応する第２関連情報を当該端末装置の記憶装置から取得する第２取得動作を実行する動作制御部
として機能させるプログラム。
【発明の詳細な説明】
【技術分野】
【０００１】
本開示は、各種の情報を放送する技術に関する。
【背景技術】
【０００２】
放送の内容に関連した情報を端末装置に提供する技術が従来から提案されている。例えば特許文献１には、放送通信網を介してデジタル放送に対応した文字データを送信する構成が開示されている。デジタル放送を受信したデジタル放送受信装置は、Bluetooth（登録商標）等の近距離無線通信により文字データを端末装置に送信する。
【先行技術文献】
【特許文献】
【０００３】
【特許文献１】特開２００９−３８７７４号公報
【発明の概要】
【発明が解決しようとする課題】
【０００４】
特許文献１の技術では、文字データの取得のために近距離無線通信用の通信機器が必要である。以上の事情を考慮して、本開示は、近距離無線通信用の通信機器を必要とすることなく、端末装置の利用者に多様な情報を提供することを目的とする。
【課題を解決するための手段】
【０００５】
以上の課題を解決するために、本開示の一つの態様に係る放送システムは、第１音声に関連する情報であって通信網を介して配信装置から端末装置に提供される第１関連情報に対応する第１識別情報を表す音響成分と、前記第１音声とを含む第１音響信号と、第２音声に関連する情報であって前記端末装置に事前に登録された第２関連情報に対応する第２識別情報を表す音響成分と、前記第２音声とを含む第２音響信号と、を取得する取得部と、前記第１音響信号を送信する第１放送動作と、前記第２音響信号を送信する第２放送動作と含む複数の放送動作のうち何れかを選択的に実行する放送部とを具備する。
本開示の一つの態様に係る端末装置は、再生装置により再生された再生音の収音により収音装置が生成する音響信号から識別情報を抽出する情報抽出部と、前記識別情報を配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部とを具備し、前記動作制御部は、契機データが取得されたか否かを判定し、当該契機データが取得された場合に、前記第１取得動作および前記第２取得動作の一方から他方へ切替える。
本開示の一つの態様に係る放送方法は、第１音声に関連する情報であって通信網を介して配信装置から端末装置に提供される第１関連情報に対応する第１識別情報を表す音響成分と、前記第１音声とを含む第１音響信号と、第２音声に関連する情報であって前記端末装置に事前に登録された第２関連情報に対応する第２識別情報を表す音響成分と、当該第２音声とを含む第２音響信号と、を取得し、前記第１音響信号を送信する第１放送動作と、前記第２音響信号を送信する第２放送動作とを含む複数の放送動作のうち何れかを選択的に実行する。
本開示の一つの態様に係る端末装置の動作方法は、再生装置により再生された再生音の収音により収音装置が生成する音響信号から識別情報を抽出し、前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行し、前記動作制御部は、契機データが取得されたか否かを判定し、当該契機データが取得された場合に、前記第１取得動作および前記第２取得動作の一方から他方へ切替える。
本開示の一つの態様に係る端末装置の動作方法は、再生装置により再生された再生音の収音により収音装置が生成する音響信号から識別情報を抽出し、前記情報抽出部が抽出した前記識別情報が第１識別情報および第２識別情報の何れであるかを判定し、前記第１識別情報である場合には、前記第１識別情報を通信網を介して配信装置に送信することで当該第１識別情報に対応する第１関連情報を取得する第１取得動作を実行し、前記第２識別情報である場合には、前記第２識別情報に対応する第２関連情報を当該端末装置の記憶装置から取得する第２取得動作を実行する。
本開示の一つの態様に係るプログラムは、端末装置のプロセッサを、再生装置により再生された再生音の収音により収音装置が生成する音響信号から識別情報を抽出する情報抽出部、および、前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部として機能させ、前記動作制御部は、契機データが取得されたか否かを判定し、当該契機データが取得された場合に、前記第１取得動作および前記第２取得動作の一方から他方へ切替える。
本開示の一つの態様に係るプログラムは、端末装置のプロセッサを、再生装置により再生された再生音の収音により収音装置が生成する音響信号から識別情報を抽出する情報抽出部、および、前記情報抽出部が抽出した前記識別情報が第１識別情報および第２識別情報の何れであるかを判定し、前記第１識別情報である場合には、前記第１識別情報を通信網を介して配信装置に送信することで当該第１識別情報に対応する第１関連情報を取得する第１取得動作を実行し、前記第２識別情報である場合には、前記第２識別情報に対応する第２関連情報を当該端末装置の記憶装置から取得する第２取得動作を実行する動作制御部として機能させる。
【図面の簡単な説明】
【０００６】
【図１】第１実施形態における情報提供システムの構成を例示するブロック図である。
【図２】放送システムの構成を例示するブロック図である。
【図３】放送システムが実行する処理を例示するフローチャートである。
【図４】配信装置の構成を例示するブロック図である。
【図５】端末装置の構成を例示するブロック図である。
【図６】端末装置が実行する処理を例示するフローチャートである。
【図７】第２実施形態に係る端末装置が実行する処理を例示するフローチャートである。
【図８】第３実施形態に係る端末装置の構成を例示するブロック図である。
【発明を実施するための形態】
【０００７】
＜第１実施形態＞
図１は、本開示の第１実施形態に係る情報提供システム１００の構成を例示するブロック図である。情報提供システム１００は、放送により提供されるコンテンツＣを視聴する視聴者に各種の情報を提供するためのコンピュータシステムである。例えば、放送波を利用した地上波放送および衛星放送によるテレビ番組がコンテンツＣとして例示される。コンテンツＣは、画像および音響により構成される。
【０００８】
図１に例示される通り、第１実施形態に係る情報提供システム１００は、端末装置１０と放送システム２０と音声認識装置３０と配信装置４０と再生装置５０とを具備する。端末装置１０と配信装置４０とは、例えば移動体通信網またはインターネット等を含む通信網７０を介して相互に通信可能である。放送システム２０から放送されたコンテンツＣを再生装置５０により視聴する視聴者の端末装置１０に、当該コンテンツＣに関連する情報（以下「関連情報」という）Ｒが提供される。端末装置１０は、例えば携帯電話機、スマートフォン、タブレット端末、または、パーソナルコンピュータ等の可搬型の情報端末である。
【０００９】
＜放送システム２０＞
図２は、第１実施形態における放送システム２０の構成を例示するブロック図である。放送システム２０は、コンテンツＣを放送するためのコンピュータシステムである。具体的には、放送システム２０は、コンテンツＣを表すデータ（以下「放送データ」という）Ｘを送信する。第１実施形態では、放送波により放送データＸが送信される。放送データＸは、コンテンツＣの画像を表す画像信号Ｖと、コンテンツＣの音響を表す音響信号Ａとを含む。
【００１０】
第１実施形態の放送システム２０は、第１コンテンツＣ1と第２コンテンツＣ2とを放送する。第１コンテンツＣ1は、例えば緊急性が低い内容に関するテレビ番組である。例えば、ドラマ、映画、バラエティ番組およびスポーツ番組等の日常的に放送されるテレビ番組がコンテンツＣ1として例示される。他方、第２コンテンツＣ2は、例えば緊急性が高い内容に関するテレビ番組である。具体的には、緊急事態（例えば地震および火災等の災害）を報知する緊急速報等のテレビ番組である。また、天気予報に関するテレビ番組を第２コンテンツＣ2としてもよい。すなわち、内容が定型化されていて予想可能な（すなわち事前に内容を取り決めることが可能な）コンテンツが第２コンテンツＣ2として例示される。
【００１１】
第１コンテンツＣ1の放送に対しては、当該第１コンテンツＣ1の音声（以下「第１音声」という）に関連する関連情報Ｒ1が端末装置１０に提供される。他方、第２コンテンツＣ2の放送に対しては、当該第２コンテンツＣ2の音声（以下「第２音声」という）に関連する関連情報Ｒ2が端末装置１０に提供される。関連情報Ｒ1（第１関連情報の例示）は、配信装置４０から通信網７０を介して取得される。それに対して、関連情報Ｒ2（第２関連情報の例示）は、端末装置１０の記憶装置から取得される。すなわち、関連情報Ｒ2の取得には、通信網７０を介した通信が不要である。端末装置１０の記憶装置に関連情報Ｒ2が事前に登録される。
【００１２】
図２に例示される通り、放送システム２０は、第１処理部２０１と第２処理部２０２と切替部２０３と通信装置２０４と放送装置２０５（放送部の例示）とを具備する。第１処理部２０１と第２処理部２０２と切替部２０３との機能は、例えばＣＰＵ（Central Processing Unit）等の１または複数のプロセッサがプログラムを実行することで実現される。
【００１３】
第１処理部２０１は、第１コンテンツＣ1の放送データＸ1を生成する。放送データＸ1は、画像信号Ｖ1と音響信号Ａ1とを含む。具体的には、第１処理部２０１は、放送データＸ1zに対する編集処理により放送データＸ1を生成する。放送データＸ1zは、例えば特定のスタジオで収録装置により収録される。収録装置は、被写体の撮像により画像信号Ｖ1zを生成する撮像装置と、音響の収音により音響信号Ａ1zを生成する収音装置とを含む。音響信号Ａ1zが表す音響には、第１音声が含まれる。第１音声は、例えば第１コンテンツＣ1の出演者の発話音声である。以上の説明から理解される通り、放送データＸ1zは、画像信号Ｖ1zと音響信号Ａ1zとで構成される。
【００１４】
第１処理部２０１が実行する編集処理は、音響信号Ａ1zから音響信号Ａ1を生成する音響処理と、画像信号Ｖ1zから画像信号Ｖ1を生成する画像処理とを含む。画像処理は、画像信号Ｖ1zが表す画像の特性を調整する各種の処理を含む。音響処理は、音響信号Ａ1zの周波数特性を調整する各種の処理を含む。また、第１実施形態の音響処理は、音響信号Ａ1zに識別情報Ｄ1を付加する処理（以下「第１処理」という）を含む。音響信号Ａ1zに対して所定の周期で反復的に識別情報Ｄ1が付加される。識別情報Ｄ1（第１識別情報の例示）は、関連情報Ｒ1を識別するための情報である。第１実施形態の識別情報Ｄ1は、第１コンテンツＣ1（すなわち第１音声を含む番組）を放送する放送局を示す情報である。
【００１５】
第１処理は、音響信号Ａ1zと、識別情報Ｄ1を音響成分として表す変調信号とを加算することで、音響信号Ａ1を生成する信号処理である。すなわち、音響信号Ａ1には、第１音声と、識別情報Ｄ1を表す音響成分とが含まれる。変調信号は、例えば所定の周波数の搬送波を識別情報Ｄ1により周波数変調することで生成される。なお、拡散符号を利用した識別情報Ｄ1の拡散変調と所定の周波数の搬送波を利用した周波数変換とを順次に実行することで変調信号を生成してもよい。変調信号の周波数帯域は、再生装置５０による放音と端末装置１０による収音とが可能な周波数帯域であり、かつ、端末装置１０の利用者が通常の環境で聴取する音声の周波数帯域を上回る周波数帯域（例えば１８ｋＨｚ以上かつ２０ｋＨｚ以下）に設定される。したがって、端末装置１０の利用者は、識別情報Ｄ1の音響成分を殆ど聴取できない。ただし、変調信号の周波数帯域は任意であり、例えば可聴帯域内の変調信号を生成することも可能である。以上に説明した編集処理により、画像信号Ｖ1と音響信号Ａ1とを含む放送データＸ1が生成される。
【００１６】
第２処理部２０２は、第２コンテンツＣ2の放送データＸ2を生成する。放送データＸ2は、画像信号Ｖ2と音響信号Ａ2とを含む。具体的には、第２処理部２０２は、放送データＸ2zに対する編集処理により放送データＸ2を生成する。放送データＸ2zは、放送データＸ1zと同様に、例えば特定のスタジオで収録装置により収録される。具体的には、放送データＸ2zは、画像信号Ｖ2zと音響信号Ａ2zとで構成される。音響信号Ａ2zが表す音響には、第２音声が含まれる。第２音声は、例えば第２コンテンツＣ2の出演者の発話音声である。第１実施形態では、緊急事態を報知する音声を第２音声として例示する。
【００１７】
第２処理部２０２が実行する編集処理は、音響信号Ａ2zから音響信号Ａ2を生成する音響処理と、画像信号Ｖ2zから画像信号Ｖ2を生成する画像処理とを含む。画像処理は、画像信号Ｖ2zが表す画像の特性を調整する各種の処理を含む。音響処理は、音響信号Ａ2zの周波数特性を調整する各種の処理を含む。また、第１実施形態の音響処理は、音響信号Ａ2zに識別情報Ｄ2を付加する処理（以下「第２処理」という）を含む。音響信号Ａ2zに対して所定の周期で反復的に識別情報Ｄ2が付加される。識別情報Ｄ2（第２識別情報の例示）は、関連情報Ｒ2を識別するための情報である。
【００１８】
第２処理は、音響信号Ａ2zと、識別情報Ｄ2を音響成分として表す変調信号とを加算することで、音響信号Ａ2を生成する信号処理である。すなわち、音響信号Ａ2には、第２音声と、識別情報Ｄ2を表す音響成分とが含まれる。第２処理においても、第１処理と同様に、例えば所定の周波数の搬送波を識別情報Ｄ2により周波数変調することで変調信号が生成される。なお、各識別情報Ｄ（Ｄ1およびＤ2）は事前に用意しておいてもよいし、音響信号Ａに付加するたびに生成してもよい。以上に説明した編集処理により、画像信号Ｖ2と音響信号Ａ2とを含む放送データＸ2が生成される。
【００１９】
放送装置２０５は、各種のコンテンツＣを放送するための放送機器である。例えば、放送装置２０５は、放送データＸを電波塔に送信する送信機と、当該放送データＸを放送波として送信する電波塔とにより構成される。コンテンツＣを表す放送データＸが放送装置２０５から再生装置５０に送信される。第１実施形態の放送装置２０５は、音響信号Ａ1を含む第１コンテンツＣ1を放送する動作（以下「第１放送動作」という）と、音響信号Ａ2を含む第２コンテンツＣ2を放送する動作（以下「第２放送動作」という）とを選択的に実行する。第１放送動作では、第１コンテンツＣ1を表す放送データＸ1が放送装置２０５から送信される。一方で、第２放送動作では、第２コンテンツＣ2を表す放送データＸ2が放送装置２０５から送信される。
【００２０】
放送システム２０の管理者は、例えば操作子に対する操作により、第１放送動作および第２放送動作の一方から他方へ切替えるための指示（以下「切替指示」という）を放送システム２０に付与することが可能である。切替部２０３は、切替指示を受付けると、当該切替指示に応じて第１放送動作および第２放送動作を一方から他方へ切替える。例えば、切替部２０３は、切替指示に応じて、第１処理部２０１および第２処理部２０２の何れか一方から放送データＸを取得し、当該取得した放送データＸを放送装置２０５に出力する。すなわち、第１コンテンツＣ1および第２コンテンツＣ2が選択的に放送される。切替部２０３は、音響信号Ａ1および音響信号Ａ2を取得する取得部の一例である。
【００２１】
通信装置２０４は、有線または無線により音声認識装置３０と通信する通信機器である。具体的には、通信装置２０４は、第１コンテンツＣ1の音響信号Ａ1と、当該音響信号Ａ1に対応する識別情報Ｄ1を音声認識装置３０に送信する。なお、音声認識装置３０による音声認識が可能な信号であれば、音響信号Ａ1とは異なる信号（音響信号Ａ1z）を音声認識装置３０に送信してもよい。
【００２２】
図３は、放送システム２０が実行する処理を例示するフローチャートである。例えば放送システム２０によるコンテンツＣの放送の開始を契機として、図３の処理が開始される。放送システム２０の切替部２０３は、切替指示があったか否かを判断する（Ｓa1）。切替指示があった場合（Ｓa1:YES）、切替部２０３は、当該切替指示に応じてコンテンツＣを切替える（Ｓa2）。
【００２３】
＜音声認識装置３０＞
図１の音声認識装置３０は、放送システム２０から送信された音響信号Ａ1に対して音声認識を実行する。音響信号Ａ1には第１音声が含まれるから、第１音声の発話内容を表す文字列が特定される。音響信号Ａ1に対する音声認識には、例えばＨＭＭ（Hidden Markov Model）等の音響モデルと、言語的な制約を示す言語モデルとを利用した認識処理等の公知の技術が任意に採用され得る。音響信号Ａ1に対する音声認識の結果（以下「認識結果」という）Ｗと、当該音響信号Ａ1に対応する識別情報Ｄ1（すなわち放送システム２０から音響信号Ａ1と共に送信された識別情報Ｄ1）とが配信装置４０に送信される。第１実施形態では、第１コンテンツＣ1の放送に並行して、当該第１コンテンツＣ1の音響信号Ａ1に対する音声認識が実行される。
【００２４】
＜配信装置４０＞
図４は、配信装置４０の構成を例示するブロック図である。図４に例示される通り、第１実施形態の配信装置４０は、通信装置４０１と記憶装置４０３と特定部４０５とを具備する。通信装置４０１は、音声認識装置３０および端末装置１０との各々と通信する。音声認識装置３０と配信装置４０とは、例えば有線または無線により相互に通信する。第１実施形態の通信装置４０１は、音声認識装置３０から送信された識別情報Ｄ1と認識結果Ｗとを受信する。また、通信装置４０１は、通信網７０を介して端末装置１０から関連情報Ｒ1の要求を受信する。端末装置１０からの要求には、識別情報Ｄ1が含まれる。
【００２５】
記憶装置４０３は、端末装置１０に関連情報Ｒ1を提供するための各種のデータを記憶する。例えば半導体記録媒体および磁気記録媒体等の公知の記録媒体、または複数種の記録媒体の組合せが、記憶装置４０３として任意に採用され得る。第１実施形態の記憶装置４０３は、第１テーブルＴ1を記憶する。第１テーブルＴ1は、識別情報Ｄ1と関連情報Ｒ1とを対応付けて登録するデータテーブルである。第１実施形態では、音響信号Ａ1に対する認識結果Ｗを関連情報Ｒ1として例示する。具体的には、音声認識装置３０から送信された認識結果Ｗと識別情報Ｄ1とが対応付けられて第１テーブルＴ1に登録される。すなわち、第１テーブルＴ1は、第１コンテンツＣ1を放送する放送局と、当該第１コンテンツＣ1に含まれる第１音声の文字列（すなわち字幕）とを対応付けたテーブルである。なお、実際には、複数の放送局の各々から音声認識装置３０に音響信号Ａ1が送信されるから、各放送局に対応する関連情報Ｒ1が第１テーブルＴ1に登録され得る。
【００２６】
特定部４０５は、端末装置１０からの要求に応じて関連情報Ｒ1を特定する。関連情報Ｒ1の特定には、第１テーブルＴ1が利用される。具体的には、特定部４０５は、第１テーブルＴ1に登録された複数の識別情報Ｄ1のうち、端末装置１０から送信された識別情報Ｄ1に対応する関連情報Ｒ1を特定する。特定部４０５の機能は、例えばＣＰＵ（Central Processing Unit）等の１または複数のプロセッサがプログラムを実行することで実現される。通信装置４０１は、特定部４０５が特定した関連情報Ｒ1を端末装置１０に送信する。
【００２７】
＜再生装置５０＞
再生装置５０は、放送システム２０から送信された放送データＸが表すコンテンツＣを再生する。再生装置５０の典型例は、例えばテレビジョン受像機である。第１実施形態の再生装置５０は、放送データＸ1を受信した場合には第１コンテンツＣ1を再生し、放送データＸ2を受信した場合には第２コンテンツＣ2を再生する。具体的には、再生装置５０は、放送データＸを受信する受信機と、各種の画像を表示する表示装置（例えば液晶パネル）と、各種の音響を放音する放音装置（例えばスピーカ）とを含む。
【００２８】
表示装置は、受信機が受信した放送データＸに含まれる画像信号Ｖに応じた画像を表示する。放音装置は、受信機が受信した放送データＸに含まれる音響信号Ａに応じた音響を放音する。放送データＸ1を受信した場合には、第１音声と識別情報Ｄ1を表す音響とが放音される。他方、放送データＸ2を受信した場合には、第２音声と識別情報Ｄ2を表す音響とが放音される。第１実施形態の放音装置は、コンテンツＣの音声を再生する音響機器として機能するほか、空気振動としての音波を伝送媒体として音響通信により識別情報Ｄ（Ｄ1およびＤ2）を周囲に送信する送信機としても機能する。すなわち、第１実施形態では、コンテンツの音声を放音する放音装置から識別情報Ｄの音響を放音する音響通信により、当該識別情報Ｄが周囲に送信される。識別情報Ｄは、音声の放音に並行して、所定の周期で反復的に送信される。
【００２９】
＜端末装置１０＞
図５は、端末装置１０の構成を例示するブロック図である。図５に例示される通り、端末装置１０は、制御装置１１と記憶装置１２と通信装置１３と収音装置１４と提示装置１５とを具備する。収音装置１４は、周囲の音響を収音する音響機器（マイクロホン）である。具体的には、収音装置１４は、再生装置５０が放音した音響を収音し、当該音響の波形を表す音響信号Ｙを生成する。再生装置５０により第１コンテンツＣ1が再生される場合には、音響信号Ｙには識別情報Ｄ1が含まれる。他方、再生装置５０により第２コンテンツＣ2が再生される場合には、音響信号Ｙには識別情報Ｄ2が含まれる。
【００３０】
以上の説明から理解される通り、収音装置１４は、音声通話または動画撮影時の音声収録に利用されるほか、空気振動としての音波を伝送媒体とする音響通信により識別情報Ｄ（Ｄ1およびＤ2）を受信する受信機としても機能する。なお、収音装置１４が生成した音響信号Ｙをアナログからデジタルに変換するＡ/Ｄ変換器の図示は便宜的に省略した。また、端末装置１０と一体に構成された収音装置１４に代えて、別体の収音装置１４を有線または無線により端末装置１０に接続してもよい。
【００３１】
通信装置１３は、制御装置１１による制御のもとで通信網７０を介して配信装置４０と通信する。第１実施形態の通信装置１３は、関連情報Ｒ1の要求を配信装置４０に送信して、当該関連情報Ｒ1を配信装置４０から受信する。
【００３２】
制御装置１１（コンピュータの例示）は、例えばＣＰＵ（Central Processing Unit）等の１または複数のプロセッサで構成され、端末装置１０の各要素を統括的に制御する。記憶装置１２は、制御装置１１が実行するプログラムと、制御装置１１が使用する各種のデータとを記憶する。例えば半導体記録媒体および磁気記録媒体等の公知の記録媒体、または複数種の記録媒体の組合せが、記憶装置１２として任意に採用され得る。
【００３３】
第１実施形態の記憶装置１２は、第２テーブルＴ2を記憶する。第２テーブルＴ2は、識別情報Ｄ2と関連情報Ｒ2とを対応付けて登録するデータテーブルである。識別情報Ｄ2と関連情報Ｒ2とは、第２テーブルＴ2に事前に登録される。第２テーブルＴ2は、例えばウェブサーバから事前に取得される。前述の通り、関連情報Ｒ2は、第２音声に関連する情報である。第２コンテンツＣ2は例えば緊急事態を報知するテレビ番組であるから、第２音声の発話内容は事前に想定される。例えば地震の発生を報知する「地震が発生しました。」という発話内容の第２音声が第２コンテンツＣ2には含まれ得る。また、天気予報に関するテレビ番組を第２コンテンツＣ2とする場合には、「明日の天気は晴れです。」または「夕方からは雨になります。」という天気を表す発話内容が第２音声として例示される。すなわち、第２コンテンツＣ2の内容は、定型化することが可能であり、放送局で事前に取り決めておくことが可能である。以上の事情を背景として、第２音声の発話内容を表す文字列（すなわち字幕）を関連情報Ｒ2として採用する。第２音声の発話内容を表す文字列と関連情報Ｒ2とが完全に一致するかは不問である。なお、放送局毎に異なる第２テーブルＴ2を利用してもよいし、放送局間で共通の第２テーブルＴ2を利用してもよい。
【００３４】
制御装置１１は、図５に例示される通り、記憶装置１２に記憶されたプログラムを実行することで複数の機能（情報抽出部１１３および動作制御部１１５）を実現する。なお、制御装置１１の一部の機能を専用の電子回路で実現してもよい。また、制御装置１１の機能を複数の装置に搭載してもよい。
【００３５】
情報抽出部１１３は、再生装置５０による再生音の収音により収音装置１４が生成した音響信号Ｙから識別情報Ｄ（Ｄ1またはＤ2）を抽出する。具体的には、情報抽出部１１３は、例えば、音響信号Ｙのうち識別情報Ｄの音響成分を含む周波数帯域を強調するフィルタ処理と、識別情報Ｄに対する変調処理に対応した復調処理とにより、識別情報Ｄを抽出する。情報抽出部１１３が抽出した識別情報Ｄは、当該識別情報Ｄに対応する関連情報Ｒ（すなわち再生装置５０により放音された各コンテンツＣの音声に関する関連情報Ｒ）の取得に利用される。識別情報Ｄ1は、配信装置４０から関連情報Ｒ1を取得するために利用される。他方、識別情報Ｄ2は、端末装置１０の記憶装置１２から関連情報Ｒ2を取得するために利用される。
【００３６】
動作制御部１１５は、識別情報Ｄに対応する関連情報Ｒを取得して、当該関連情報Ｒを提示装置１５に再生させる。第１実施形態の動作制御部１１５は、識別情報Ｄに応じて関連情報Ｒを取得する方法を相違させる。情報抽出部１１３が識別情報Ｄ1を抽出した場合には、端末装置１０は、当該識別情報Ｄ1に対応する関連情報Ｒ1を配信装置４０から取得する。他方で、情報抽出部１１３が識別情報Ｄ2を抽出した場合には、端末装置１０は、当該識別情報Ｄ2に対応する関連情報Ｒ2を記憶装置１２から取得する。
【００３７】
提示装置１５は、関連情報Ｒを利用者に提示するための再生機器である。第１実施形態の提示装置１５は、関連情報Ｒが表す画像を表示する表示装置を含む。すなわち、再生装置５０が再生するコンテンツの音声に関連する関連情報Ｒ（Ｒ1またはＲ2）が表示装置により表示される。
【００３８】
図６は、端末装置１０が実行する処理を例示するフローチャートである。例えば収音装置１４による音響信号Ｙの生成を契機として、図６の処理が開始される。図６の処理を開始すると、情報抽出部１１３は、収音装置１４が生成した音響信号Ｙから識別情報Ｄを抽出する（Ｓb1）。動作制御部１１５は、情報抽出部１１３が抽出した識別情報Ｄが識別情報Ｄ1であるか否かを判定する（Ｓb2）。第１実施形態の動作制御部１１５は、第２テーブルＴ2を利用して識別情報Ｄが識別情報Ｄ1であるか否かを判定する。具体的には、動作制御部１１５は、情報抽出部１１３が抽出した識別情報Ｄが第２テーブルＴ2に登録された複数の識別情報Ｄ2の何れとも一致しない場合には、当該識別情報Ｄが識別情報Ｄ1であると判定する。また、動作制御部１１５は、情報抽出部１１３が抽出した識別情報Ｄが第２テーブルＴ2に登録された複数の識別情報Ｄ2の何れかと一致する場合には、当該識別情報Ｄが識別情報Ｄ1でない（すなわち識別情報Ｄ2である）と判定する。
【００３９】
情報抽出部１１３が抽出した識別情報Ｄが識別情報Ｄ1であると判定された場合（Ｓb2:YES）、動作制御部１１５は、識別情報Ｄ1を配信装置４０に送信する（Ｓb3）。動作制御部１１５は、識別情報Ｄ1対応する関連情報Ｒ1を配信装置４０から受信する（Ｓb4）。ステップＳb3およびステップＳb4の処理は、識別情報Ｄ1を配信装置４０に送信することで当該識別情報Ｄ1に対応する関連情報Ｒ1を取得する動作（以下「第１取得動作」という）である。
【００４０】
他方、情報抽出部１１３が抽出した識別情報Ｄが識別情報Ｄ2であると判定された場合（Ｓb2:NO）、動作制御部１１５は、識別情報Ｄ2に対応する関連情報Ｒ2を記憶装置１２から特定する。具体的には、動作制御部１１５は、第２テーブルＴ2に登録された複数の識別情報Ｄ2のうち、情報抽出部１１３が抽出した識別情報Ｄ2に対応する関連情報Ｒ2を特定する。ステップＳb5の処理は、識別情報Ｄ2に対応する関連情報Ｒ2を当該端末装置１０の記憶装置１２から取得する動作（以下「第２取得動作」という）である。
【００４１】
以上の説明から理解される通り、第１取得動作と第２取得動作とは選択的に実行される。第１実施形態の第１取得動作は、第１音声を含む音響信号Ａ1に対する認識結果Ｗを表す関連情報Ｒ1を、当該第１音声の再生音の収音により収音装置１４が生成する音響信号Ｙから抽出された識別情報Ｄ1により取得する動作である。他方、第１実施形態の第２取得動作は、第２音声の再生音の収音により収音装置１４が生成する音響信号Ｙから抽出された識別情報Ｄ2により、当該第２音声について事前に登録された関連情報Ｒ2を取得する動作である。
【００４２】
動作制御部１１５は、第１取得動作または第２取得動作において取得した関連情報Ｒを提示装置１５に再生させる（Ｓb6）。すなわち、再生装置５０が再生するコンテンツの音声に関連した関連情報Ｒが提示装置１５により表示される。
【００４３】
以上の説明から理解される通り、第１実施形態では、第１放送動作により送信される音響信号Ａ1に識別情報Ｄ1の音響成分が含まれ、第２放送動作により送信される音響信号Ａ2に識別情報Ｄ2の音響成分が含まれる。したがって、音響信号Ａの再生により関連情報Ｒ1および関連情報Ｒ2を端末装置１０の利用者に提供することができる。すなわち、近距離無線通信用の通信機器を必要とすることなく、端末装置１０の利用者に多様な情報を提供できる。
【００４４】
また、第１放送動作により再生装置５０が再生する音響を端末装置１０により収音して識別情報Ｄ1を抽出することで、第１音声に関連する関連情報Ｒ1を、端末装置１０が通信網７０を介して取得することができる。したがって、端末装置１０に必要な記憶容量を削減しながら、例えば放送中の番組の進行に並行して字幕等の多様な情報を端末装置１０が取得することが可能である。一方、第２放送動作の実行時には、再生装置５０が再生する音響から抽出される識別情報Ｄ2により、第２音声に関連する関連情報Ｒ2を端末装置１０の記憶装置１２から取得することができる。したがって、例えば緊急情報等の緊急性の高い定型的な情報を、通信網７０を介した通信を必要とせずに取得することが可能である。記憶容量を削減しながら多様な関連情報Ｒ1を提供し、かつ、通信網７０を介した通信を必要とせずに確実に関連情報Ｒ2を提供できる。
【００４５】
また、第１実施形態では、第２音声について事前に登録された関連情報Ｒ2に対応する識別情報Ｄ1を端末装置１０が取得できるから、例えば第２音声を聴取困難な聴覚障碍者、または、第２音声の内容を理解できない外国人に、当該第２音声の内容を示す関連情報Ｒ2を確実に提供することが可能である。
【００４６】
第１音声を含む番組の放送局を示す情報を識別情報Ｄ1として利用する第１実施形態の構成によれば、例えば音響信号Ａ1に対する認識結果Ｗ毎に識別情報Ｄ1を相違させる構成、または、第１コンテンツＣ1毎に識別情報Ｄ1を相違させる構成と比較して、第１放送動作が簡素化される。また、配信装置４０の記憶容量を削減できるという利点がある。第２音声が緊急事態を報知する音声である場合、関連情報Ｒ2を確実に端末装置１０に提供する必要がある。したがって、通信網７０を介した通信を必要とせずに関連情報Ｒ2を取得する構成は、第２音声が緊急事態を報知する音声である場合に特に有効である。
【００４７】
＜第２実施形態＞
本開示の第２実施形態を説明する。なお、以下の各例示において機能が第１実施形態と同様である要素については、第１実施形態の説明で使用した符号を流用して各々の詳細な説明を適宜に省略する。
【００４８】
第２実施形態の端末装置１０は、放送システム２０から送信された契機データに応じて、第１取得動作と第２取得動作とを切替える。第２実施形態の放送システム２０は、第１実施形態と同様に、第１放送動作と第２放送動作とを選択的に実行する。また、放送システム２０は、再生装置５０に契機データを送信する。
【００４９】
切替部２０３は、第１実施形態と同様に、切替指示を受付けると、第１放送動作および第２放送動作の一方から他方へ切替える。また、第２実施形態の切替部２０３は、切替指示を受付けると、放送装置２０５が放送しているコンテンツＣ（Ｃ1,Ｃ2）に契機データを付与する。第２実施形態の契機データは、端末装置１０における第１取得動作および第２取得動作を一方から他方へ切替えるための指令である。具体的には、切替部２０３は、コンテンツＣの音響信号Ａに、契機データを音響成分として表す変調信号を加算する。すなわち、音響信号Ａには、コンテンツＣの音声と、識別情報Ｄの音響成分と、契機データの音響成分とが含まれる。放送装置２０５は、音響信号Ａおよび画像信号Ｖを含む放送データＸを再生装置５０に送信する。なお、契機データは、音響信号Ａに連続的に付加されるわけではなく、切替指示を受付けた直後に音響信号Ａに付加される。すなわち、契機データは、切替え直前のコンテンツＣまたは切替え直後のコンテンツＣの何れかに付与される。
【００５０】
第２実施形態の再生装置５０は、第１実施形態と同様に、放送システム２０が送信する放送データＸに応じたコンテンツＣを再生する。第２実施形態では、コンテンツＣの音声と識別情報Ｄを表す音響とに加えて、契機データを表す音響が放音される。したがって、第２実施形態の端末装置１０の収音装置１４が生成する音響信号Ｙには、識別情報Ｄの音響成分に加えて、契機データの音響成分が含まれ得る。情報抽出部１１３は、収音装置１４が生成した音響信号Ｙから識別情報Ｄと契機データとを抽出する。契機データの抽出は、識別情報Ｄの抽出と同様の方法により実行される。
【００５１】
動作制御部１１５は、契機データが取得されたか否かを判定し、当該契機データが取得された場合に、第１取得動作および第２取得動作の一方から他方へ切替える。第２実施形態の動作制御部１１５は、情報抽出部１１３が音響信号Ｙから契機データを抽出したか否かを判定し、契機データが抽出された場合に、第１取得動作および第２取得動作の一方から他方へ切替える。具体的には、動作制御部１１５は、契機データが第１取得動作から第２取得動作への切替を指令する場合には、第１取得動作から第２取得動作に切替える。他方、動作制御部１１５は、契機データが第２取得動作から第１取得動作への切替を指令する場合には、第２取得動作から第１取得動作に切替える。
【００５２】
図７は、第２実施形態に係る端末装置１０が実行する処理を例示するフローチャートである。例えば収音装置１４による音響信号Ｙの生成を契機として、図７の処理が開始される。図７の処理を開始すると、情報抽出部１１３は、音響信号Ｙから識別情報Ｄを抽出する（Ｓc1）。放送システム２０が切替指示を受付けた直後には、音響信号Ｙに契機データが含まれる。したがって、情報抽出部１１３が契機データを抽出する場合がある。動作制御部１１５は、契機データが取得されたか否かを判定する（Ｓc2）。具体的には、情報抽出部１１３が契機データを抽出したか否かが判定される。情報抽出部１１３が契機データを抽出した場合（Ｓc2:YES）、動作制御部１１５は、契機データに応じて、第１取得動作および第２取得動作の一方から他方へ切替える（Ｓc3）。動作制御部１１５は、切替え後の取得動作により関連情報Ｒを取得する（Ｓc4）。他方、情報抽出部１１３が契機データを抽出しなかった場合（Ｓc2:NO）、動作制御部１１５は、ステップＳc3の処理を実行せずに、関連情報Ｒを取得する（Ｓc4）。
【００５３】
第２実施形態においても第１実施形態と同様の効果が実現される。第２実施形態では、再生音の収音により生成された音響信号Ｙから契機データを抽出した場合に第１取得動作と第２取得動作とが切替わるから、識別情報Ｄ1および識別情報Ｄ2の判別（例えば図６のＳb2の処理）を必要とせずに、第１取得動作と第２取得動作とを切替えることが可能である。
【００５４】
＜第３実施形態＞
【００５５】
第３実施形態では、特定の事象（例えば緊急事態）の発生が発生した場面を想定する。例えば、地震、火災または大雨等の災害が緊急事態の例示である。緊急事態が発生すると、緊急事態の発生を報知する警報音が警報器または緊急車両（例えば消防車）から放音される。第３実施携帯の端末装置１０は、警報音を検知した場合に、第１取得動作から第２取得動作に切換える。
【００５６】
図８は、第３実施形態に係る端末装置１０に構成を例示するブロック図である。第３実施形態に係る端末装置１０は、第２実施形態の端末装置１０に契機データ取得部１１７を追加した構成である。緊急事態が発生すると、端末装置１０の収音装置１４は、警報音を含む音響を収音し、当該音響の波形を表す音響信号Ｑを生成する。
【００５７】
契機データ取得部１１７は、収音装置１４が生成した音響信号Ｑを解析することで、契機データを生成する。第３実施形態の契機データは、特定の事象の発生を表すデータである。具体的には、契機データ取得部１１７は、音響信号Ｑを解析した結果、当該音響信号Ｑに警報音が含まれていると判定した場合に契機データを生成する。すなわち、契機データ取得部１１７は、契機データを取得する要素として機能する。なお、音響信号Ｑに警報音が含まれてないと判定された場合には契機データは生成されない。
【００５８】
動作制御部１１５は、第２実施形態と同様に、契機データが取得されたか否かを判定し、当該契機データが取得された場合に、第１取得動作および第２取得動作の一方から他方へ切替える。具体的には、動作制御部１１５は、契機データ取得部１１７が契機データを取得したか否かを判定し、契機データ取得部１１７が契機データを取得したと判定した場合に、第１取得動作から第２取得動作へ切替える。
【００５９】
第３実施形態においても第２実施形態と同様の効果が実現される。第３実施形態では、例えば警報音の収音により契機データを取得することができるから、放送システム２０においてコンテンツＣに契機データを付与することが不要になる。
【００６０】
第３実施形態では、警報器または緊急車両からの警報音を収音することで契機データを取得したが、契機データを取得する方法は以上の例示に限定されない。例えば、再生装置５０が、コンテンツＣの再生に並行して、特定の事象の発生を報知するニュース速報のテロップおよび警報音（ニュース速報音）を再生する場合には、端末装置１０は、当該警報音を収音することで契機データを取得してもよい。すなわち、特定の事象の発生を報知する音の収音により、契機データが生成される。
【００６１】
また、契機データを取得する方法は、特定の事象の発生を報知する音の収音には限定されない。例えば、災害等の発生を表す警報データを端末装置１０に送信（例えばプッシュ配信）する警報システムを想定する。契機データ取得部１１７は、警報システムから送信された警報データを契機データとして取得する。動作制御部１１５は、契機データ取得部１１７が契機データを取得した場合に、第１取得動作から第２取得動作へ切替える。
【００６２】
＜変形例＞
以上に例示した各態様に付加される具体的な変形の態様を以下に例示する。以下の例示から任意に選択された複数の態様を、相互に矛盾しない範囲で適宜に併合してもよい。
【００６３】
（１）前述の各形態では、放送波を利用した地上波放送および衛星放送によるテレビ番組をコンテンツＣ（Ｃ1,Ｃ2）として例示したが、コンテンツＣは以上の例示に限定されない。例えば、移動体通信網またはインターネット等の通信網を介して放送データＸを送信するＩＰ（Internet Protocol）放送による番組をコンテンツＣとしてもよい。また、放送波または通信網を使用したラジオ放送によるラジオ番組もコンテンツＣとして採用される。また、本開示の適用範囲は、コンテンツＣの放送に限定されない。例えば、商業施設等の各種の施設内において当該施設を案内する案内放送にも本開示は適用される。施設内の案内放送においては、施設を案内する音声を表すコンテンツＣが放送システム２０により放送される。
【００６４】
（２）前述の各形態では、緊急性が低い内容に関するテレビ番組を第１コンテンツＣ1として例示し、緊急性が低い内容に関するテレビ番組を第２コンテンツＣ2として例示したが、第１コンテンツＣ1および第２コンテンツＣ2は以上の例示に限定されない。第１コンテンツＣ1は、例えば内容が流動的であり予想が困難なコンテンツ、または、利用者にとって重要性が低いコンテンツ等である。一方で、第２コンテンツＣ2は、例えば内容が定型化されていて予想可能なコンテンツ（例えば天気予報）、または、利用者にとって重要性が高いコンテンツである。なお、例えば緊急事態の発生を報知するコンテンツは、内容が定型化されていて予想可能なコンテンツにも相当し、重要性が高いコンテンツにも相当する。
【００６５】
また、第１音声と第２音声とは典型的には相違するが、同じでもよい。例えば第１コンテンツＣ1の内容と第２コンテンツＣ2の内容とが同じである場合には、第１音声と第２音声とが同じになることも想定される。
【００６６】
（３）前述の各形態では、画像信号Ｖと音響信号Ａとを含むコンテンツＣを例示したが、コンテンツＣにおける画像信号Ｖの有無は任意である。すなわち、第１放送動作は、識別情報Ｄ1を表す音響成分と第１音声とを含む音響信号Ａ1を送信する動作として包括的に表現され、第２放送動作は、識別情報Ｄ2を表す音響成分と第２音声とを含む音響信号Ａ2を送信する動作として包括的に表現される。
【００６７】
（４）前述の各形態では、利用者の情報端末を端末装置１０として利用したが、端末装置１０は以上の例示に限定されない。例えば商業施設に設置される電子看板（例えばデジタルサイネージ）等の案内用の表示端末を端末装置１０として利用してもよい。
【００６８】
（５）前述の各形態では、音響信号Ａ1に対する認識結果Ｗを関連情報Ｒ1として例示したが、関連情報Ｒ1は以上の例示に限定されない。関連情報Ｒ1は、第１音声に関連する情報であれば任意である。音響信号Ａ1に対する認識結果Ｗを他言語に翻訳した文字列、または、第１コンテンツＣ1内に登場する商品や施設の所在を示す情報（ＵＲＬ）等の各種の情報が関連情報Ｒ1として例示される。また、第１音声の発話内容を表す文字列を音声認識とは異なる方法で取得し、当該文字列を関連情報Ｒ1としてもよい。例えば、第１音声の発話内容を表す文字列を作業者が手動で入力し、当該文字列を関連情報Ｒ1としてもよい。すなわち、音響信号Ａ1に対する音声認識は必須ではない。
【００６９】
また、前述の各形態では、第１コンテンツＣ1の放送に並行して音響信号Ａ1に対する音声認識を実行したが、例えば収録済みの第１コンテンツＣ1を放送する場合には、事前に音響信号Ａ1に対する音声認識を実行し、認識結果Ｗと識別情報Ｄ1とを配信装置４０に記憶しておいてもよい。
【００７０】
（６）前述の各形態では、第２音声の発話内容を表す文字列を関連情報Ｒ2として例示したが、関連情報Ｒ2は以上の例示に限定されない。関連情報Ｒ2は、第２音声に関連する情報であれば任意である。例えば、第２音声の発話内容を表す文字列を他言語に翻訳した文字列、または、第２音声の発話内容を表す図形等の各種の情報が関連情報Ｒ2として例示される。
【００７１】
（７）前述の各形態では、提示装置１５による表示により関連情報Ｒを提示したが、例えば関連情報Ｒを表す音響を提示装置１５により放音することで関連情報Ｒを提示してもよい。すなわち、提示装置１５は、画像の表示により関連情報Ｒを提示する表示装置と、音響の放音により関連情報Ｒを提示する放音装置との何れか一方または双方を含む。
【００７２】
（８）前述の各形態では、第１音声を含む番組の放送局を示す情報を識別情報Ｄ1として利用したが、識別情報Ｄ1は以上の例示に限定されない。例えば、音響信号Ｖ1に対する認識結果Ｗを示す情報、または、第１コンテンツＣ1（すなわち放送局が放送するテレビ番組）を示す情報を識別情報Ｄ1としてもよい。
【００７３】
（９）前述の各形態では、緊急事態を報知する音声を第２音声として例示したが、第２音声は以上の例示に限定されない。第２音声の内容は、第２コンテンツＣ2の内容に応じて適宜に変更される。第２コンテンツＣ2に関する前述の例示から理解される通り、第２音声は、緊急事態を報知する音声、または天気予報を報知する音声など、第１音声と比較して内容が定型化された情報を報知するための音声である。
【００７４】
（１０）前述の各形態の放送システム２０は、第１放送動作と第２放送動作とを選択的に実行したが、第１放送動作と第２放送動作とは別の放送動作を放送システム２０が実行してもよい。例えば、識別情報Ｄが付加されていないコンテンツＣを放送する第３放送動作を実行してもよい。放送システム２０は、複数の放送動作のうちの何れかを選択的に実行する。
【００７５】
（１１）前述の各形態では、音声認識装置３０と配信装置４０とを別個の装置として例示したが、音声認識装置３０と配信装置４０とを単一の装置により実現してもよい。また、音声認識装置３０および配信装置４０の何れか一方または双方の機能を放送システム２０が実現してもよい。
【００７６】
（１２）第１実施形態では、第２テーブルＴ2を利用して情報抽出部１１３が抽出した識別情報Ｄが識別情報Ｄ1であるか否かを判定（図６のステップＳb2の処理）したが、識別情報Ｄ1であるか否かを判定する具体的な方法は以上の例示に限定されない。例えば、動作制御部１１５は、情報抽出部１１３が抽出した識別情報Ｄが表す数値が特定の数値範囲であれば識別情報Ｄ1であると判定し、当該数値範囲外であれば識別情報Ｄ2であると判定してもよい。また、動作制御部１１５は、識別情報Ｄを表すビット列のうち特定のビットの数値に応じて、識別情報Ｄが識別情報Ｄ1および識別情報Ｄ2であるかを判定してもよい。以上の説明から理解される通り、動作制御部１１５は、情報抽出部１１３が抽出した識別情報Ｄの少なくとも一部が表す数値に応じて、当該情報抽出部１１３が抽出した識別情報Ｄが識別情報Ｄ1および識別情報Ｄ2の何れであるかを判定する。
【００７７】
（１３）前述の各形態では、切替部２０３を取得部として例示したが、取得部の例示は切替部２０３に限定されない。第１処理部２０１および第２処理部２０２から放送データＸを取得する要素が取得部として包括的に表現される。例えば、切替部２０３が放送システム２０から省略される構成を想定する。以上の構成では、第１処理部２０１が放送データＸ1を生成した場合には当該放送データＸ1が第１処理部２０１により放送装置２０５に出力され、第２処理部２０２が放送データＸ2を生成した場合には当該放送データＸ2が第２処理部２０２により放送装置２０５に出力される。すなわち、放送装置２０５が第１処理部２０１または第２処理部２０２から直接的に放送データＸを取得する。以上の構成では、放送装置２０５において放送データＸを取得する要素が取得部として機能する。すなわち、取得部は放送装置２０５が有してもよい。
【００７８】
（１４）前述の各形態に係る放音システムまたは端末装置１０の機能は、各形態での例示の通り、ＣＰＵ等の１または複数のプロセッサとプログラムとの協働により実現される。前述の各形態に係るプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体も包含される。なお、非一過性の記録媒体とは、一過性の伝搬信号（transitory, propagating signal）を除く任意の記録媒体を含み、揮発性の記録媒体も除外されない。また、通信網を介した配信の形態でプログラムをコンピュータに提供してもよい。
【００７９】
＜付記＞
以上に例示した形態から、例えば以下の構成が把握される。
【００８０】
本開示の一つの態様（第１態様）に係る放送システムは、第１音声に関連する情報であって通信網を介して配信装置から端末装置に提供される第１関連情報に対応する第１識別情報を表す音響成分と、前記第１音声とを含む第１音響信号と、第２音声に関連する情報であって前記端末装置に事前に登録された第２関連情報に対応する第２識別情報を表す音響成分と、前記第２音声とを含む第２音響信号と、を取得する取得部と、前記第１音響信号を送信する第１放送動作と、前記第２音響信号を送信する第２放送動作とを含む複数の放送動作のうち何れかを選択的に実行する放送部とを具備する。以上の態様では、第１放送動作により送信される第１音響信号に第１識別情報の音響成分が含まれ、第２放送動作により送信される第２音響信号に第２識別情報の音響成分が含まれるから、音響信号の再生により第１関連情報および第２関連情報を端末装置の利用者に提供することができる。すなわち、近距離無線通信用の通信機器を必要とすることなく、端末装置の利用者に多様な情報を提供できる。
【００８１】
また、第１放送動作により再生装置が再生する音響を端末装置により収音して第１識別情報を抽出することで、第１音声に関連する第１関連情報を、端末装置が通信網を介して取得することができる。したがって、端末装置に必要な記憶容量を削減しながら、例えば放送中の番組の進行に並行して字幕等の多様な情報を端末装置が取得することが可能である。一方、第２放送動作の実行時には、再生装置が再生する音響から抽出される第２識別情報により、第２音声に関連する第２関連情報を当該端末装置の記憶装置から取得することができる。したがって、例えば緊急情報等の緊急性の高い定型的な情報を、通信網を介した通信を必要とせずに取得することが可能である。記憶容量を削減しながら多様な第１関連情報を提供し、かつ、通信網を介した通信を必要とせずに確実に第２関連情報を提供できる。なお、「端末装置の記憶装置」とは、端末装置に内蔵された記憶装置、または、当該端末装置に有線または無線により接続された外付けの記憶装置を意味する。
【００８２】
第１態様の一例（第２態様）では、前記第１関連情報は、前記第１音声の発話内容を表す文字列である。以上の態様では、第１音声の発話内容を表す文字列が第１関連情報として利用されるから、第１音声の字幕を提供できる。
【００８３】
第１態様または第２態様の何れかの一例（第３態様）では、前記第２音声は、内容が定型化された情報を報知する音声である。例えば、第２音声が緊急事態を報知する音声、または、天気予報を報知する音声等の内容は定型化されているため、第２関連情報の内容を事前に決めておくことが可能である。したがって、端末装置の記憶装置に第２関連情報を記憶する構成は、第２音声の内容が定型化された情報である場合に特に有効である。
【００８４】
本開示の一つの態様（第４態様）に係る端末装置は、再生装置による再生音の収音により収音装置が生成する音響信号から識別情報を抽出する情報抽出部と、前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部とを具備し、前記動作制御部は、契機データが取得されたか否かを判定し、当該契機データが取得された場合に、前記第１取得動作および前記第２取得動作の一方から他方へ切替える。以上の態様では、再生音の収音により生成された音響信号から識別情報を抽出することで、関連情報を取得することができるから、近距離無線通信用の通信機器を必要とすることなく、端末装置の利用者に多様な情報を提供できる。
【００８５】
また、第１取得動作により通信網を介して配信装置から第１関連情報が取得される。したがって、端末装置に必要な記憶容量を削減しながら、例えば放送中の番組の進行に並行して字幕等の多様な情報を端末装置が取得することが可能である。一方、第２取得動作により端末装置の記憶装置から第２関連情報が取得されるから、例えば緊急情報等の緊急性の高い定型的な情報を、通信網を介した通信を必要とせずに取得することが可能である。記憶容量を削減しながら多様な第１関連情報を提供し、かつ、通信網を介した通信を必要とせずに確実に第２関連情報を提供できる。また、契機データが取得された場合に第１取得動作と第２取得動作とが切替わるから、例えば第１取得動作に利用される識別情報と、第２取得動作に利用される識別情報との判別を必要とせずに、第１取得動作と第２取得動作とを切替えることが可能である。
【００８６】
第４態様の一例（第５態様）では、前記情報抽出部は、前記音響信号から前記契機データを抽出し、前記動作制御部は、前記情報抽出部が前記契機データを抽出したか否かを判定する。以上の態様では、再生音の収音により生成された音響信号から契機データが抽出される。したがって、再生音に契機データを含ませる簡便な構成により、第１取得動作と第２取得動作とを切替えることが可能である。
【００８７】
第４態様の一例（第６態様）では、特定の事象の発生を表す契機データを取得する契機データ取得部を具備し、前記動作制御部は、前記契機データ取得部が前記契機データを取得したか否かを判定する。以上の態様では、例えば地震および火災等の災害を発生するアラーム等を契機データとして使用することができる。
【００８８】
本開示の一つの態様（第７態様）に係る端末装置は、再生装置による再生音の収音により収音装置が生成する音響信号から識別情報を抽出する情報抽出部と、前記情報抽出部が抽出した前記識別情報が第１識別情報および第２識別情報の何れであるかを判定し、前記第１識別情報である場合には、前記第１識別情報を通信網を介して配信装置に送信することで当該第１識別情報に対応する第１関連情報を取得する第１取得動作を実行し、前記第２識別情報である場合には、前記第２識別情報に対応する第２関連情報を当該端末装置の記憶装置から取得する第２取得動作を実行する動作制御部とを具備する。以上の態様では、識別情報が第１識別情報および第２識別情報の何れであるかを判定することで、第１取得動作および第２取得動作の一方が実行される。したがって、例えば、第１取得動作および第２取得動作の一方から他方へ切替えるためのデータを端末装置に送信することが不要になる。
【００８９】
第７態様の一例（第８態様）では、前記動作制御部は、前記情報抽出部が抽出した識別情報の少なくとも一部が表す数値に応じて、前記情報抽出部が抽出した前記識別情報が前記第１識別情報および前記第２識別情報の何れであるかを判定する。以上の態様では、識別情報の少なくとも一部が表す数値に応じて、抽出された識別情報が第１識別情報および第２識別情報の何れであるが判定されるから、例えば事前に第２識別情報を端末装置に記憶することが不要になる。
【００９０】
第４態様から第８態様の何れかの好適例（第９態様）では、前記第１取得動作は、前記再生音である第１音声の発話内容を表す文字列を表す第１関連情報を取得する動作であり、前記第２取得動作は、前記再生音である第２音声について事前に登録された第２関連情報を取得する動作である。以上の態様では、第１音声の発話内容を表す文字列を表す第１関連情報を通信網を介して取得することができ、第２音声について事前に登録された第２関連情報を端末装置の記憶装置から取得できる。
【００９１】
以上に例示した各態様の放送システムの放送方法、または、以上に例示した各態様の端末装置の動作方法としても、本開示は実現される。
【００９２】
例えば、本開示の一つの態様（態様１０）に係る放送システムの放送方法は、第１音声に関連する情報であって通信網を介して配信装置から端末装置に提供される第１関連情報に対応する第１識別情報を表す音響成分と、前記第１音声とを含む第１音響信号と、第２音声に関連する情報であって前記端末装置に事前に登録された第２関連情報に対応する第２識別情報を表す音響成分と、当該第２音声とを含む第２音響信号とを取得し、前記第１音響信号を送信する第１放送動作と、前記第２音響信号を送信する第２放送動作とを含む複数の放送動作のうち何れかを選択的に実行する。
【００９３】
また、本開示の一つの態様（態様１１）に係る端末装置の動作方法は、再生装置による再生音の収音により収音装置が生成する音響信号から識別情報を抽出し、前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行し、前記動作制御部は、契機データが取得されたか否かを判定し、当該契機データが取得された場合に、前記第１取得動作および前記第２取得動作の一方から他方へ切替える。
【００９４】
本開示の一つの態様に係る端末装置の動作方法（態様１２）は、再生装置による再生音の収音により収音装置が生成する音響信号から識別情報を抽出し、前記情報抽出部が抽出した前記識別情報が第１識別情報および第２識別情報の何れであるかを判定し、前記第１識別情報である場合には、前記第１識別情報を通信網を介して配信装置に送信することで当該第１識別情報に対応する第１関連情報を取得する第１取得動作を実行し、前記第２識別情報である場合には、前記第２識別情報に対応する第２関連情報を当該端末装置の記憶装置から取得する第２取得動作を実行する。
【００９５】
本開示の一つの態様（態様１３）に係るプログラムは、端末装置のプロセッサを、再生装置により再生された再生音の収音により収音装置が生成する音響信号から識別情報を抽出する情報抽出部、および、前記識別情報を通信網を介して配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部として機能させ、前記動作制御部は、契機データが取得されたか否かを判定し、当該契機データが取得された場合に、前記第１取得動作および前記第２取得動作の一方から他方へ切替える。
【００９６】
本開示の一つの態様（態様１４）に係るプログラムは、端末装置のプロセッサを、再生装置により再生された再生音の収音により収音装置が生成する音響信号から識別情報を抽出する情報抽出部、および、前記情報抽出部が抽出した前記識別情報が第１識別情報および第２識別情報の何れであるかを判定し、前記第１識別情報である場合には、前記第１識別情報を通信網を介して配信装置に送信することで当該第１識別情報に対応する第１関連情報を取得する第１取得動作を実行し、前記第２識別情報である場合には、前記第２識別情報に対応する第２関連情報を当該端末装置の記憶装置から取得する第２取得動作を実行する動作制御部として機能させる。
【符号の説明】
【００９７】
１０…端末装置、１００…情報提供システム、１１…制御装置、１１３…情報抽出部、１１５…動作制御部、１１７…契機データ取得部、１２…記憶装置、１３…通信装置、１４…収音装置、１５…提示装置、２０…放送システム、２０１…第１処理部、２０２…第２処理部、２０３…切替部、２０４…通信装置、２０５…放送装置、３０…音声認識装置、４０…配信装置、４０１…通信装置、４０３…記憶装置、４０５…特定部、５０…再生装置、７０…通信網。
【図１】
2020009038.tif 000003
【図２】
2020009038.tif 000004
【図３】
2020009038.tif 000005
【図４】
2020009038.tif 000006
【図５】
2020009038.tif 000007
【図６】
2020009038.tif 000008
【図７】
2020009038.tif 000009
【図８】
2020009038.tif 000010
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
第１音声に関連する情報であって通信網を介して配信装置から端末装置に提供される第１関連情報に対応する第１識別情報を表す音響成分と、前記第１音声とを含む第１音響信号と、
第２音声に関連する情報であって前記端末装置に事前に登録された第２関連情報に対応する第２識別情報を表す音響成分と、前記第２音声とを含む第２音響信号と、
を取得する取得部と、
前記第１音響信号を送信する第１放送動作と、前記第２音響信号を送信する第２放送動作とを含む複数の放送動作のうち何れかを選択的に実行する放送部と
を具備する放送システム。
【請求項２】
前記第１関連情報は、前記第１音声の発話内容を表す文字列である
請求項１の放送システム。
【請求項３】
前記第２音声は、内容が定型化された情報を報知する音声である
請求項１または請求項２の放送システム。
【請求項４】
前記第１識別情報は、前記第１音声を含むコンテンツを放送する放送局を示す情報である
請求項１から請求項３の何れかの放送システム。
【請求項５】
前記第１識別情報は、前記第１音声を含むコンテンツを示す情報である
請求項１から請求項３の何れかの放送システム。
【請求項６】
再生装置により再生された再生音の収音により収音装置が生成する音響信号から識別情報を抽出する情報抽出部と、
通信網を介して前記識別情報を配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部とを具備し、
前記動作制御部は、契機データが取得されたか否かを判定し、当該契機データが取得された場合に、前記第１取得動作および前記第２取得動作の一方から他方へ切替える
端末装置。
【請求項７】
前記情報抽出部は、前記音響信号から前記契機データを抽出し、
前記動作制御部は、前記情報抽出部が前記契機データを抽出したか否かを判定する
請求項６の端末装置。
【請求項８】
特定の事象の発生を表す前記契機データを取得する契機データ取得部を具備し、
前記動作制御部は、前記契機データ取得部が前記契機データを取得したか否かを判定する
請求項６の端末装置。
【請求項９】
再生装置により再生された再生音の収音により収音装置が生成する音響信号から識別情報を抽出する情報抽出部と、
前記情報抽出部が抽出した前記識別情報が第１識別情報および第２識別情報の何れであるかを判定し、
前記識別情報が前記第１識別情報である場合には、通信網を介して前記第１識別情報を配信装置に送信することで当該第１識別情報に対応する第１関連情報を取得する第１取得動作を実行し、
前記識別情報が前記第２識別情報である場合には、前記第２識別情報に対応する第２関連情報を当該端末装置の記憶装置から取得する第２取得動作を実行する動作制御部と
を具備する端末装置。
【請求項１０】
前記動作制御部は、前記情報抽出部が抽出した前記識別情報の少なくとも一部が表す数値に応じて、前記情報抽出部が抽出した前記識別情報が前記第１識別情報および前記第２識別情報の何れであるかを判定する
請求項９の端末装置。
【請求項１１】
前記第１取得動作は、前記再生音である第１音声の発話内容を表す文字列を表す第１関連情報を取得する動作であり、
前記第２取得動作は、前記再生音である第２音声について事前に登録された第２関連情報を取得する動作である
請求項６から請求項１０の何れかの端末装置。
【請求項１２】
第１音声に関連する情報であって通信網を介して配信装置から端末装置に提供される第１関連情報に対応する第１識別情報を表す音響成分と、前記第１音声とを含む第１音響信号と、
第２音声に関連する情報であって前記端末装置に事前に登録された第２関連情報に対応する第２識別情報を表す音響成分と、当該第２音声とを含む第２音響信号と、を取得し、
前記第１音響信号を送信する第１放送動作と、前記第２音響信号を送信する第２放送動作とを含む複数の放送動作のうち何れかを選択的に実行する
放送システムにより実現される放送方法。
【請求項１３】
再生装置により再生された再生音の収音により収音装置が生成する音響信号から識別情報を抽出し、
通信網を介して前記識別情報を配信装置に送信することで当該識別情報に対応する第１関連情報を取得する第１取得動作と、前記識別情報に対応する第２関連情報を当該端末装置の記憶装置から取得する第２取得動作と、を選択的に実行し、
前記第１取得動作および前記第２取得動作の選択的な実行においては、契機データが取得されたか否かを判定し、当該契機データが取得された場合に、前記第１取得動作および前記第２取得動作の一方から他方へ切替える
コンピュータにより実現される端末装置の動作方法。
【請求項１４】
再生装置により再生された再生音の収音により収音装置が生成する音響信号から識別情報を抽出し、
前記抽出した前記識別情報が第１識別情報および第２識別情報の何れであるかを判定し、
前記識別情報が前記第１識別情報である場合には、通信網を介して前記第１識別情報を配信装置に送信することで当該第１識別情報に対応する第１関連情報を取得する第１取得動作を実行し、
前記識別情報が前記第２識別情報である場合には、前記第２識別情報に対応する第２関連情報を当該端末装置の記憶装置から取得する第２取得動作を実行する
コンピュータにより実現される端末装置の動作方法。
【請求項１５】
端末装置のプロセッサを、
再生装置により再生された再生音の収音により収音装置が生成する音響信号から識別情報を抽出する情報抽出部、および、
通信網を介して前記識別情報を配信装置に送信することで当該識別情報に対応する第１関連情報を取得する第１取得動作と、前記識別情報に対応する第２関連情報を当該端末装置の記憶装置から取得する第２取得動作と、を選択的に実行する動作制御部として機能させ、
前記動作制御部は、契機データが取得されたか否かを判定し、当該契機データが取得された場合に、前記第１取得動作および前記第２取得動作の一方から他方へ切替える
プログラム。
【請求項１６】
端末装置のプロセッサを、
再生装置により再生された再生音の収音により収音装置が生成する音響信号から識別情報を抽出する情報抽出部、および、
前記情報抽出部が抽出した前記識別情報が第１識別情報および第２識別情報の何れであるかを判定し、
前記識別情報が前記第１識別情報である場合には、通信網を介して前記第１識別情報を配信装置に送信することで当該第１識別情報に対応する第１関連情報を取得する第１取得動作を実行し、
前記識別情報が前記第２識別情報である場合には、前記第２識別情報に対応する第２関連情報を当該端末装置の記憶装置から取得する第２取得動作を実行する動作制御部
として機能させるプログラム。
【手続補正２】
【補正対象書類名】明細書
【補正対象項目名】００４５
【補正方法】変更
【補正の内容】
【００４５】
また、第１実施形態では、第２音声について事前に登録された関連情報Ｒ2に対応する識別情報Ｄ2を端末装置１０が取得できるから、例えば第２音声を聴取困難な聴覚障碍者、または、第２音声の内容を理解できない外国人に、当該第２音声の内容を示す関連情報Ｒ2を確実に提供することが可能である。
【手続補正３】
【補正対象書類名】明細書
【補正対象項目名】００５５
【補正方法】変更
【補正の内容】
【００５５】
第３実施形態では、特定の事象（例えば緊急事態）が発生した場面を想定する。例えば、地震、火災または大雨等の災害が緊急事態の例示である。緊急事態が発生すると、緊急事態の発生を報知する警報音が警報器または緊急車両（例えば消防車）から放音される。第３実施携帯の端末装置１０は、警報音を検知した場合に、第１取得動作から第２取得動作に切換える。
【手続補正４】
【補正対象書類名】明細書
【補正対象項目名】００６４
【補正方法】変更
【補正の内容】
【００６４】
（２）前述の各形態では、緊急性が低い内容に関するテレビ番組を第１コンテンツＣ1として例示し、緊急性が高い内容に関するテレビ番組を第２コンテンツＣ2として例示したが、第１コンテンツＣ1および第２コンテンツＣ2は以上の例示に限定されない。第１コンテンツＣ1は、例えば内容が流動的であり予想が困難なコンテンツ、または、利用者にとって重要性が低いコンテンツ等である。一方で、第２コンテンツＣ2は、例えば内容が定型化されていて予想可能なコンテンツ（例えば天気予報）、または、利用者にとって重要性が高いコンテンツである。なお、例えば緊急事態の発生を報知するコンテンツは、内容が定型化されていて予想可能なコンテンツにも相当し、重要性が高いコンテンツにも相当する。
【国際調査報告】
2020009038.tif 000011
2020009038.tif 000012